(57)【要約】【課題】  平型ケーブルを真っ直ぐに押し込みやすく、平型ケーブルの押し込みや抜き取りが容易な平型ケーブル用固定具を提供する。【解決手段】  各種機器のセット溝内に取付ける平型ケーブル用固定具であって、セット溝内に嵌入可能な底板と二方の側板を備え、二方の側板は底板の上方に対向立設され、両側板の夫々に嵌入溝が形成され、嵌入溝はその溝幅方向中央部に、前記側板と交差して設けられた板状のガイドで溝幅方向に二以上に区画され、区画された夫々の嵌入溝は平型ケーブルを縦向きに嵌入可能な溝幅であり、ガイドは嵌入溝に嵌入される平型ケーブルの配線方向に幅広の板状であって平型ケーブルの外被の一方の横面を支持できるものであり、食い込み部は嵌入溝の側板角縁に形成されて、嵌入溝に嵌入される平型ケーブルの外被の他方の横面に食い込み可能である。【選択図】図１
2014131410.tif 000002
【特許請求の範囲】
【請求項１】
クロージャや接続箱、それらにセットするトレー等の機器の配線口から外に引き出され或いは配線口から機器内に引き込まれるテンションメンバー（抗張力線）入りの断面形状長方形の平型ケーブルを、当該機器に取付けるための平型ケーブル用固定具において、
前記平型ケーブル用固定具は機器のセット溝内にセット可能なサイズであり、
前記セット溝内に嵌入可能な底板と二方の側板を備え、
二方の側板は底板の上方に対向立設され、両側板の夫々に嵌入溝が形成され、
嵌入溝はその溝幅方向中央部（ほぼ中央部を含む）に、前記側板と交差して設けられた板状のガイドで溝幅方向に二以上に区画され、
区画された夫々の嵌入溝は平型ケーブルを縦向きに嵌入可能な溝幅であり、
ガイドは嵌入溝に嵌入される平型ケーブルの配線方向に幅広の板状であって平型ケーブルの外被の一方の横面を支持できるものであり、
食い込み部は嵌入溝の側板角縁に形成されて、嵌入溝に嵌入される平型ケーブルの外被の他方の横面に食い込み可能である、
ことを特徴とする平型ケーブル用固定具。
【請求項２】
請求項１記載の平型ケーブル用固定具において、
ガイドが底板から立上げて形成された、
ことを特徴とする平型ケーブル用固定具。
【請求項３】
クロージャや接続箱、それらにセットするトレー等の機器の配線口から外に引き出され或いは配線口から機器内に引き込まれるテンションメンバー（抗張力線）入りの断面形状長方形の平型ケーブルを、当該機器に取付けるための平型ケーブル用固定具において、
前記平型ケーブル用固定具は機器のセット溝内にセット可能なサイズであり、
前記セット溝内に嵌入可能な底板と二方の側板を備え、
二方の側板は底板の上方に対向立設され、両側板の夫々に嵌入溝が形成され、
嵌入溝は平型ケーブルを縦向きに嵌入可能な溝幅であり、
嵌入溝の溝幅方向一側方に板状のガイドが、他側方に食い込み部が形成され、
ガイドは嵌入溝に嵌入される平型ケーブルの配線方向に幅広の板状であって平型ケーブルの外被の一方の横面を支持できるものであり、
食い込み部は嵌入溝の側板角縁に形成されて、嵌入溝に嵌入される平型ケーブルの外被の他方の横面に食い込み可能である、
ことを特徴とする平型ケーブル用固定具。
【請求項４】
請求項３記載の平型ケーブル用固定具において、
ガイドが側板を折り曲げて形成された、
ことを特徴とする平型ケーブル用固定具。
【請求項５】
請求項３又は請求項４記載の平型ケーブル用固定具において、
二方の側板の夫々に設けられた二方のガイドが、嵌入溝の溝幅方向同じ側又は嵌入溝の溝幅方向異なる側に設けられた、
ことを特徴とする平型ケーブル用固定具。
【請求項６】
請求項３から請求項５のいずれか１項に記載の平型ケーブル用固定具において、
嵌入溝が、対向配置された二方の側板の夫々に二以上設けられた、
ことを特徴とする平型ケーブル用固定具。
【請求項７】
請求項１又は請求項２又は請求項６記載の平型ケーブル用固定具において、
夫々の側板の二以上の嵌入溝は、その横幅方向に、区画板により区画された、
ことを特徴とする平型ケーブル用固定具。
【請求項８】
請求項７記載の平型ケーブル用固定具において、
ガイドは夫々の側板の嵌入溝の溝幅方向の一方に設けられ、
食い込み部は嵌入溝の溝幅方向の他方の側板の角縁又は区画板の角縁に設けられた、
ことを特徴とする平型ケーブル用固定具。
【請求項９】
クロージャや接続箱、それらにセットするトレー等の機器の配線口から外に引き出され或いは配線口から機器内に引き込まれるテンションメンバー（抗張力線）入りの断面形状長方形の平型ケーブルを、当該機器に取付けるための平型ケーブル用固定具において、
前記平型ケーブル用固定具は機器のセット溝内にセット可能なサイズであり、
横向きの底板と縦向きに対向する二方の側板で上向き開口の「コ」字状に形成され、
二方の側板に嵌入溝が形成され、嵌入溝は平型ケ−ブルを縦向きに嵌入できる溝幅であり、
嵌入溝の横に板状のガイドが設けられ、ガイドは嵌入溝内に嵌入される平型ケーブルの配線方向に幅広の板材であり、外被の一方の横面を支持可能であり、
前記嵌入溝が形成された側板の溝幅方向内側角縁に食い込み部が形成され、食い込み部は嵌入溝内に嵌入される平型ケーブルの外被の他方の横面に食い込み可能である、
ことを特徴とする平型ケーブル用固定具。
【請求項１０】
請求項１から請求項９のいずれか１項に記載の平型ケーブル用固定具において、
ガイドが側板の上方まで突出する、
ことを特徴とする平型ケーブル用固定具。
【発明の詳細な説明】
【技術分野】
【０００１】
本発明は平型ケーブル用固定具に関し、特に、クロージャや接続箱、或いはそれらにセットするトレー等（以下これらをまとめて「機器」という。）の配線口から引き出されたり、引き込まれたりするテンションメンバー（抗張力線）入りの平型ケーブル（例えば、平型光ケーブル）を機器に取付ける平型ケーブル用固定具に関する。
【背景技術】
【０００２】
抗張力線入りの平型ケーブル（平型光ケーブル）の一例として、図５（ａ）、（ｂ）に示すようなものがある。この平型ケーブルは、光ファイバ心線Ａの両側方に抗張力線Ｂが配置され、その外周が平型のシース（外被）Ｃ（通常、樹脂製）で被覆されている。光ファイバ心線Ａはテープ状或いは丸型のものがある。抗張力線Ｂの外形は、通常、光ファイバ心線Ａの厚さ（丸形心線の場合はその外径）よりも大きい。外被Ｃの外面で光ファイバ心線Ａの外側部分に、溝Ｄが光ファイバ心線Ａの軸方向に沿って形成されている。
【０００３】
前記平型ケーブルＥを前記機器Ｆ（図６（ａ）、（ｂ））の配線口Ｇ内に引き込む場合は、平型ケーブルＥの端部の外被Ｃを溝Ｄに沿って引き裂いて光ファイバ心線Ａを所望長露出させ、引き裂いた外被Ｃを剥ぎ取って抗張力線Ｂを所望長露出させ、露出した抗張力線Ｂを機器Ｆの取付け箇所にネジ止めして固定していた。
【０００４】
前記方法では平型ケーブルＥの固定作業が面倒であった。従来、この面倒を改善するために、ケーブル固定具（特許文献１）、ケーブルの引留め方法（特許文献２）が開発されている。
【０００５】
特許文献１のケーブル固定具は、平型ケーブルＥを二枚の挟着片間に挟んで固定する方式であり、そのケーブル固定具を機器Ｆのセット溝Ｈ内に固定することにより、平型ケーブルＥを機器Ｆの配線口Ｇ（図６（ａ）、（ｂ））内にセットするものである。このケーブル固定具を使用すると、旧来のネジ止め方式に比して固定作業は容易になるが、平型ケーブルＥを固定する力（挟着力）が弱く、平型ケーブルＥが外に引かれると、平型ケーブルがスリップするおそれがあった。
【０００６】
特許文献２のケーブルの引留め方法は、平型ケーブルＥの外被Ｃの引留めに引留め部品を使用する方法であり、この引留め部品の相対する二以上の固定片間の嵌入溝内に平型ケーブルＥを押し込み、その固定片の角縁（エッジ）を平型ケーブルＥの外被Ｃの横面（抗張力線の配線方向に交差する方向の面）に食い込ませて平型ケーブルＥを引留め部品の嵌入溝内に固定し、この引留め部品を機器Ｆのセット溝Ｈ内にセットすることにより、平型ケーブルＥを機器Ｆの配線口Ｇ（図６（ａ）、（ｂ））に固定する方法である。この引留め部品には特許文献２の図１に示すように嵌入溝が一つ（一組）しか設けられていないもののほか、特許文献２の図２に示すように二以上の嵌入溝を備えて、一つの引留め部品で二以上の平型ケーブルＥを固定できるものもある。
【先行技術文献】
【特許文献】
【０００７】
【特許文献１】特開平１０−３３２９５３号公報
【特許文献２】特開２００３−２１７３０号公報
【発明の概要】
【発明が解決しようとする課題】
【０００８】
前記特許文献２の図１の引留め部品は、嵌入溝が一つであるため、外被寸法の異なる二種類の平型ケーブルの固定に使用することができず、異なるサイズの平型ケーブルを固定するためには、異なる溝幅の嵌入溝を備えた引留め部品を別途用意しなければならないという不便があった。
【０００９】
前記特許文献２の図２の引留め部品は、一つの引留め部品で複数本の平型ケーブルを固定できるというメリットはあるものの、すべての嵌入溝の溝幅が同一であるため、外被寸法が同じ平型ケーブルしか固定できないという不便がある。
【００１０】
また、前記特許文献２の図２の引留め部品を用いて平型ケーブルを固定する場合、引留め部において伝送損失が大きくなったり、光ファイバの破断が発生したりするおそれがある。さらに、特許文献２の図２の引留め部品は、引留め部品への平型ケーブル差し込み方向が、機器への引留め部品差し込み方向と同じであるため、そのままでは、平型ケーブルが差し込んだ方向に位置ずれしたり抜けやすくなったりするおそれもある。
【００１１】
前記特許文献２の図１及び図２の引留め部品はいずれも、平型ケーブルを縦向き（抗張力線配線方向）に押し込む必要があるため、平型ケーブルが安定しにくく、平型ケーブルを押し込む際に、平型ケーブルＥが図７に示すように傾きやすく、真っ直ぐに圧入しにくかった。また、両引留め部品は、固定片のエッジを平型ケーブルの外被の横面に食い込ませるものであるため、押し込み時や抜き取り時の抵抗が大きく、押し込みにくい、抜き取りにくい、という難点もあった。
【００１２】
本発明の目的は、平型ケーブルが傾きにくく真っ直ぐに押し込みやすく、平型ケーブルの押し込みや抜き取りが容易な平型ケーブル用固定具を提供することにある。また、外被サイズが異なる二種以上の平型ケーブルをも固定できるようにすることにもある。本願の明細書及び特許請求の範囲では、説明の便宜上、平型ケーブルの抗張力線配列方向を「縦方向」、抗張力線配列方向と交差する方向を「横方向」、外被の縦方向両外面を「縦面」、外被の横方向両外面を「横面」とする。
【課題を解決するための手段】
【００１３】
本発明の平型ケーブル用固定具は、クロージャや接続箱、それらにセットするトレー等の機器の配線口から外に引き出され或いは配線口から機器内に引き込まれるテンションメンバー（抗張力線）入りの断面形状長方形の平型ケーブルを、当該機器に取付けるための平型ケーブル用固定具である。
【００１４】
この平型ケーブル用固定具は、図１（ａ）、（ｂ）に示すように、前記機器のセット溝内にセット可能なサイズであり、前記セット溝内に嵌入可能な底板と、この底板の上方に立ち上がる二方の側板を備えている。側板は底板の上方に立設対向され、両側板の夫々に嵌入溝が形成され、嵌入溝はその溝幅方向中央部（ほぼ中央部を含む）に、前記側板と交差して設けられた板状のガイドで溝幅方向に二以上に区画され、区画された夫々の嵌入溝は平型ケーブルを縦向きに嵌入可能な溝幅である。ガイドは嵌入溝に嵌入される平型ケーブルの配線方向に幅広の板状であって平型ケーブルの外被の一方の横面を支持できるものである。食い込み部は嵌入溝の側板角縁に形成されて、嵌入溝に嵌入される平型ケーブルの外被の他方の横面に食い込み可能なものである。前記ガイドは図１（ｃ）に示すように底板から立上げて形成することができる。
【００１５】
本発明の平型ケーブル用固定具は、図２（ａ）、（ｂ）に示すように、前記機器のセット溝内にセット可能なサイズであり、前記機器のセット溝内に嵌入可能な底板と二方の側板を備え、二方の側板は底板の上方に対向立設され、両側板の夫々に嵌入溝が形成され、嵌入溝は平型ケーブルを縦向きに嵌入可能な溝幅であり、嵌入溝の溝幅方向一側方に板状のガイドが、他側方に食い込み部が形成され、ガイドは嵌入溝に嵌入される平型ケーブルの配線方向に幅広の板状であって平型ケーブルの外被の一方の横面を支持できるものである。食い込み部は嵌入溝の側板角縁に形成されて、嵌入溝に嵌入される平型ケーブルの外被の他方の横面に食い込み可能である。前記ガイドは図２（ａ）、（ｂ）に示すように前記側板を折り曲げて形成することができる。
【００１６】
前記両側板に設けられたガイドは、図２（ａ）に示すように、嵌入溝の溝幅方向同じ側（図２（ａ）では共に左側）に配置することも、図２（ｂ）に示すように嵌入溝の溝幅方向異なる側（図２（ｂ）では左側と右側）に配置することもできる。
【００１７】
前記嵌入溝は、図３（ａ）〜（ｃ）に示すように、対向配置された二方の側板の夫々に二以上設けることもできる。この場合、夫々の側板の二以上の嵌入溝はその溝幅方向に区画板により区画することができる。この場合、ガイドは夫々の側板の嵌入溝の溝幅方向の一方に設けることができ、食い込み部は前記嵌入溝の溝幅方向の他方の側板の角縁又は前記区画板の角縁に設けることができる。
【００１８】
本発明の平型ケーブル用固定具は、図４（ａ）、（ｂ）に示すように、前記機器のセット溝内にセット可能なサイズであり、横向きの底板と縦向きに対向する二方の側板で上向き開口の「コ」字状（略「コ」字状を含む：以下明細書、特許請求の範囲において同じ）に形成され、二方の側板に嵌入溝が形成され、嵌入溝は平型ケ−ブルを縦向きに嵌入できる溝幅であり、嵌入溝の横に板状のガイドが設けられ、ガイドは嵌入溝内に嵌入される平型ケーブルの配線方向に幅広の板材であり、外被の一方の横面を支持可能である。前記嵌入溝が形成された側板の溝幅方向内側角縁に食い込み部が形成されている。食い込み部は嵌入溝内に嵌入される平型ケーブルの外被の他方の横面に食い込み可能なものである。前記いずれの発明においても、前記ガイドは側板の上方まで突出させることができる。
【発明の効果】
【００１９】
本発明の平型ケーブル用固定具は次のような効果がある。
（１）平型ケーブルを添わせる板状のガイドを設けたので、ケーブル用固定具への平型ケーブル嵌入時に平型ケーブルをガイドに沿って嵌入溝内に嵌入し易くなる。
（２）平型ケーブルを嵌入溝に嵌入すると、嵌入溝の溝幅方向一方の側縁を食い込み部としたので、平型ケーブルを嵌入溝に縦向きに嵌入するだけで、食い込み部が平型ケーブルの外被の一方の横面に食い込んで、平型ケーブルが不用意に抜けるおそれがない。
（３）溝幅の異なる嵌入溝を二以上設けた場合は、嵌入溝を選択して一つの平型ケーブル用固定具で、横幅寸法、縦幅寸法の異なる（サイズの異なる）二以上の平型ケーブルを嵌入することができるので、平型ケーブルの寸法ごとに溝幅寸法の異なる平型ケーブル固定具を用意する必要がなく、平型ケーブル固定具の種類が少なくて済み、管理の面倒がなく、コストが低減する。
（４）ガイドの上部を側板よりも上まで突出させた場合は、嵌入溝への平型ケーブルの嵌入時に平型ケーブルをガイド部に宛がいやすくなり、平型ケーブルが傾きにくくなり、嵌入溝に嵌入し易くなる。
（５）対向する側板の夫々に嵌入溝を設けた場合は、一本の平型ケーブルの軸方向二カ所を支持できるので、一箇所を支持する場合よりも平型ケーブルが抜けにくくなり、安定する。
（６）離れて対向する側板の夫々に嵌入溝を設け、その嵌入溝の溝幅方向反対側にガイドを設けた場合は、それら反対側のガイドで平型ケーブルの両横面を支持できるので、片面を支持する場合よりも平型ケーブルが抜けにくくなり、安定する。
【図面の簡単な説明】
【００２０】
【図１】（ａ）は本発明の平型ケーブル用固定具の一例を示す斜視図、（ｂ）は（ａ）の正面図、（ｃ）は（ａ）の展開図。
【図２】（ａ）、（ｂ）は本発明の平型ケーブル用固定具の他例を示す斜視図。
【図３】（ａ）〜（ｃ）は本発明の平型ケーブル用固定具の他例を示す斜視図。
【図４】（ａ）は本発明の平型ケーブル用固定具の他例を示す斜視図、（ｂ）は（ａ）の正面図。
【図５】（ａ）、（ｂ）は、抗張力線入りの平型ケーブル（平型光ケーブル）の一例を示す正面図。
【図６】（ａ）は従来の平型ケーブル用固定具を機器に取付けた状態の斜視図、（ｂ）は（ａ）の平型ケーブル用固定具をセット溝にセットした状態の拡大図。
【図７】従来の平型ケーブル用固定具の説明図。
【発明を実施するための形態】
【００２１】
本発明の平型ケーブル用固定具（以下「固定具」という。）の実施形態について、図面を参照して説明する。本発明の固定具は、クロージャや接続箱、それらにセットするトレー等の機器Ｆ（図６（ａ）、（ｂ））の配線口Ｇから外に引き出され或いは配線口Ｇから機器Ｆ内に引き込まれる抗張力線入りの平型ケーブル（以下「ケーブル」という。）Ｅを、当該機器Ｆのセット溝Ｈ内にセットして、機器Ｆに取付けるためのものである。
【００２２】
（実施形態１）
本発明の固定具１の一例として図１（ａ）、（ｂ）に示すものは、前記機器Ｆのセット溝Ｈ（図６（ａ）、（ｂ））内にセット可能である。固定具１は一枚の金属板を折り曲げ加工して、前記セット溝Ｈ内に嵌入してセット可能な底板２と、底板２の上方に立設対向された二方の側板３を備えている。
【００２３】
二方の側板３は底板２の上方に対向立設されており、両側板３の夫々に嵌入溝４が形成されている。嵌入溝４はその溝幅方向中央部に設けられた板状のガイド５で二以上に区画されている。ガイド５は嵌入溝４内に嵌入されるケーブルＥの配線方向に幅広の板状であり、ケーブルＥの外被Ｃの一方の横面Ｃ1を支持することができる。区画された夫々の嵌入溝４は図１（ｂ）に示すようにケーブルＥを縦向きに嵌入可能な溝幅である。嵌入溝４が形成された側板３の溝幅方向内側角縁を食い込み部６としてある。食い込み部６は嵌入溝４に嵌入されたケーブルＥの外被Ｃの他方の横面Ｃ2に食い込み可能である。
【００２４】
ガイド５は図１（ｃ）に示すように底板２に切り込み７を入れて、その内側片８を図１（ａ）のように立上げて形成することができる。
【００２５】
二つの嵌入溝４の溝幅は同じ寸法としてもいいが、異なる寸法にして、一つの固定具１で、外被寸法の異なるケーブルＥを嵌入できるようにすることもできる。
【００２６】
図１（ａ）、（ｃ）に示す底板２の両側面を平行にして略四角形にしてあるが、それら図に仮想線で示すように両側面を斜めにして台形にして、機器Ｆ（図６（ａ）、（ｂ）の平面視台形のセット溝Ｈ（図６（ａ）、（ｂ））内に密にセット可能とすることもできる。
【００２７】
（実施形態２）
本発明の固定具の一例として図２（ａ）に示すものは、機器Ｆのセット溝Ｈ（図６（ａ）、（ｂ））内にセット可能である。この固定具１も一枚の金属板を折り曲げ加工して、前記セット溝Ｈ内に嵌入可能な底板２と、底板２の上方に対向立設された二方の側板３を備えている。
【００２８】
両側板３の夫々には嵌入溝４が形成されており、嵌入溝４はケーブルＥを縦向きに嵌入可能な溝幅としてある。嵌入溝４の溝幅方向の一側方には板状のガイド５が形成され、他側方の角縁を食い込み部６としてある。ガイド５は嵌入溝４内に嵌入されるケーブルＥの配線方向に幅広の板状にして、ケーブルＥの外被Ｃの他方の横面を支持できるようにしてある。食い込み部６は嵌入溝４内に嵌入されたケーブルＥの外被Ｃの一方の横面に食い込み可能である。
【００２９】
前記ガイド５は図２（ａ）、（ｂ）に示すように側板３の一部を内側に折り曲げて嵌入溝４を形成することにより形成される。図２（ａ）の二枚のガイド５は共に嵌入溝４の溝幅の同じ方向に設けられており、互いに内側に折り曲げられて対向している。図２（ｂ）の二枚のガイド５は嵌入溝４の溝幅方向反対側に設けられ、互いに内側に折り曲げられて斜向かい対向している。
【００３０】
図２（ａ）、（ｂ）の底板２はその両側面を斜めにして平面視台形のセット溝Ｈ内に嵌合できるようにあるが、セット溝Ｈが方形の場合はその形状に合わせて変えることができる。
【００３１】
（実施形態３）
本発明の固定具の一例として図３（ａ）に示すものは、機器Ｆのセット溝Ｈ（図６（ａ）、（ｂ））内にセット可能であり、この固定具１も一枚の金属板を折り曲げ加工して底板２と、底板２の上方に対向立設された二方の側板３を備え、夫々の側板３の横幅方向二箇所に嵌入溝４が形成されている。嵌入溝４は側板３の横幅方向に設けられた区画板９で区画されている。
【００３２】
ガイド５は夫々の側板３の嵌入溝４の溝幅方向の一方に設けられている。このガイド５も板状であり、嵌入溝４内に嵌入されたケーブルＥの外被Ｃの一方の横面を支持することができる。
【００３３】
前記区画板９の幅方向両端の角縁を食い込み部６としてある。食い込み部６は嵌入溝４内に縦向きに嵌入されるケーブルＥの外被Ｃの一方の横面に食い込み可能である。
【００３４】
ガイド５は図３（ｂ）に示すように、区画板９の幅方向両側に設けることもできる。この場合は、嵌入溝４の両外側の側板３の横幅方向両内側の角縁が食い込み部６となる。この食い込み部６も嵌入溝４内に圧入されるケーブルＥの外被Ｃの一方の横面に食い込み可能である。
【００３５】
ガイド５は図３（ｃ）に示すように、区画板９の幅方向一方の端部と、区画板９の両外側の側板３の幅方向一方の側面に設けることもできる。この場合は、区画板９のガイド５と対向する側の角縁と、区画板９の両外側の側板３の幅方向他方の側の角縁が食い込み部６となる。
【００３６】
図３（ａ）〜（ｃ）の底板２もその両側面を斜めにして平面視台形のセット溝Ｈ内に嵌合できるようにあるが、セット溝Ｈが方形の場合はその形状に合わせて変えることができる。
【００３７】
（実施形態４）
本発明の固定具の一例として、図４（ａ）に示すものは、機器Ｆのセット溝Ｈ（図６（ａ）、（ｂ））内にセット可能なサイズであり、一枚の金属板を折り曲げ加工して形成されている。
【００３８】
図４（ａ）の固定具１は、底板２と縦向きに対向立設した二方の側板３で上向き開口のコ字状に形成されており、両側板３の幅方向に嵌入溝４が形成され、その嵌入溝４側に板状のガイド５が形成されている。嵌入溝４の溝幅はケーブルＥを縦向きに嵌入できる広さとしてある。嵌入溝４を対向配置されている二枚の側板３に設けることにより、嵌入溝４内に嵌入されるケ−ブルＥの配線方向２箇所を支持して、確実に支持できるようにしてある。
【００３９】
ガイド５は底板２に沿って設けられて両側板３と直交しており、嵌入溝４内に嵌入されるケ−ブルＥを添わせることができるようにしてある。ガイド５は側板３より上方まで突出させることができる。
【００４０】
側板３の嵌入溝４の溝幅方向内側の角縁は食い込み部６としてある。食い込み部６はケ−ブルＥの外被Ｃの一方の側面に食い込んで、ケ−ブルＥの外被Ｃを確実に支持することができるようにしてある。
【００４１】
図４（ａ）に示す底板２はその両側面を斜めにして平面視台形のセット溝Ｈ内に嵌合できるようにあるが、セット溝Ｈが方形の場合はその形状に合わせて変えることができる。
【００４２】
前記１〜４の実施形態において、共通する構成、構造は同じ材質、構成、寸法等とすることができる。側板に嵌入溝を二以上設けるときは、それら嵌入溝の溝幅を異なるサイズとすることにより、一つの固定具１で、サイズの異なるケーブルＥを嵌入支持することができる。
【００４３】
（使用例）
本発明の固定具１を用いてケーブルＥを機器Ｆに固定するには、図１（ｂ）に示すようにケーブルＥを縦向きにして固定具１の嵌入溝４内に押し込んで嵌入（圧入）して、平型ケーブルＥの外被Ｃの一方の横面Ｃ1をガイド５で支持し、外被Ｃの他方の横面Ｃ2に食い込み部６を食い込ませてケーブルＥを固定具１に固定する。その固定具１を機器Ｆのセット溝Ｈに押し込んでセットする。
【産業上の利用可能性】
【００４４】
本発明の固定具は、平型ケーブル、特に、平型光ケーブルの固定に特に適したものであるが、平型光ケーブル以外のケーブルの固定に用いることもできる。
【符号の説明】
【００４５】
１    平型ケーブル用固定具
２    底板
３    側板
４    嵌入溝
５    ガイド
６    食い込み部
７    切り込み
８    内側片
９    区画板
１０    板材
Ａ    光ファイバ心線
Ｂ    テンションメンバー（抗張力線）
Ｃ    外被
Ｃ1  （外被の）一方の横面
Ｃ2  （外被の）他方の横面
Ｄ    溝
Ｅ    平型ケーブル
Ｆ    機器
Ｇ    配線口
Ｈ    セット溝
【図１】
2014131410.tif 000003
【図２】
2014131410.tif 000004
【図３】
2014131410.tif 000005
【図４】
2014131410.tif 000006
【図５】
2014131410.tif 000007
【図６】
2014131410.tif 000008
【図７】
2014131410.tif 000009